【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
ズーミングに際して移動する変倍レンズと、
フォーカシングに際して移動するフォーカスレンズと、
アクチュエータによる前記フォーカスレンズの駆動を制御する制御手段とを有する光学機器であって、
前記アクチュエータによる前記フォーカスレンズの駆動可能範囲は、複数の被写体距離に対して合焦状態が得られる合焦可能範囲と該合焦可能範囲に加えられたマージン範囲を含み、
前記合焦可能範囲の幅はズーム位置に応じて変化し、
前記制御手段は、前記フォーカスレンズの駆動速度の設定を、前記フォーカスレンズが前記合焦可能範囲で駆動されるときに、前記フォーカスレンズの駆動速度を前記ズーム位置に応じて変化させる第１の速度設定とし、かつ、前記フォーカスレンズが前記マージン範囲で駆動されるときに、前記フォーカスレンズの駆動速度を第２の速度設定とし、
前記第２の速度設定は、前記ズーム位置の範囲の少なくとも一部のズーム位置において、前記第１の速度設定のときよりも、同一のズーム位置における前記フォーカスレンズの駆動速度が遅い設定であることを特徴とする光学機器。
【請求項２】
前記制御手段は、前記第２の速度設定において、前記ズーム位置の範囲のうち所定位置と前記マージン範囲での駆動時の前記ズーム位置とでの前記マージン範囲の幅の比率に応じて前記フォーカスレンズの駆動速度を設定することを特徴とする請求項１に記載の光学機器。
【請求項３】
前記制御手段は、前記第２の速度設定において、前記フォーカスレンズの駆動速度を前記ズーム位置によらず同じに設定することを特徴とする請求項１または２に記載の光学機器。
【請求項４】
前記制御手段は、前記第２の速度設定において、前記フォーカスレンズの駆動速度を前記第１の速度設定で設定される最も遅い駆動速度と同じに設定することを特徴とする請求項１から３のいずれか一項に記載の光学機器。
【請求項５】
前記制御手段は、
前記変倍レンズの移動に伴うピント変動を低減するための被写体距離ごとの前記ズーム位置と前記フォーカスレンズとの関係を示すデータを取得し、
前記データのうち前記被写体距離である最至近および無限遠のそれぞれに対応するデータと前記フォーカスレンズの位置とを比較することで、該フォーカスレンズの位置が前記合焦可能範囲にあるか前記マージン範囲にあるかを判定することを特徴とする請求項１から４のいずれか一項に記載の光学機器。
【請求項６】
該光学機器の温度を検出する温度検出手段を有し、
前記制御手段は、前記第２の速度設定において、前記温度に応じて前記フォーカスレンズの駆動速度を変化させることを特徴とする請求項１から４のいずれか一項に記載の光学機器。
【請求項７】
前記駆動可能範囲での前記フォーカスレンズの位置に対応する被写体距離に関する表示を行う表示手段を有することを特徴とする請求項１から５のいずれか一項に記載の光学機器。
【請求項８】
ズーミングに際して移動する変倍レンズと、フォーカシングに際して移動するフォーカスレンズとを有する光学機器のコンピュータに、アクチュエータによる前記フォーカスレンズの駆動を制御する処理を実行させるコンピュータプログラムであって、
前記アクチュエータによる前記フォーカスレンズの駆動可能範囲は、複数の被写体距離に対して合焦状態が得られる合焦可能範囲と該合焦可能範囲に加えられたマージン範囲を含み、
前記合焦可能範囲の幅はズーム位置に応じて変化し、
前記処理は、前記フォーカスレンズの駆動速度の設定を、前記フォーカスレンズが前記合焦可能範囲で駆動されるときに、前記フォーカスレンズの駆動速度を前記ズーム位置に応じて変化させる第１の速度設定とし、かつ、前記フォーカスレンズが前記マージン範囲で駆動されるときに、前記フォーカスレンズの駆動速度を第２の速度設定とし、
前記第２の速度設定は、前記ズーム位置の範囲の少なくとも一部のズーム位置において、前記第１の速度設定のときよりも、同一のズーム位置における前記フォーカスレンズの駆動速度が遅い設定であることを特徴とするフォーカス制御プログラム。
【手続補正２】
【補正対象書類名】明細書
【補正対象項目名】０００２
【補正方法】変更
【補正の内容】
【０００２】
いわゆるインナーフォーカスタイプのズームレンズでは、同じ被写体距離に対して合焦状態が得られるフォーカスレンズの位置（以下、合焦フォーカス位置という）が焦点距離（以下、ズーム位置という）に応じて異なる。特許文献１には、被写体距離ごとにズーム位置に対する合焦フォーカス位置を示すデータ（電子カムデータ）を用意し、変倍時に電子カムデータに基づいてフォーカスレンズの駆動を制御して、変倍に伴うピント変動を低減する光学機器が開示されている。さらに、特許文献１には、変倍レンズの移動速度の変化に応じてフォーカスレンズの駆動速度を補正することで、マニュアルズーム操作による変倍中に変倍レンズの移動速度が変化しても合焦状態を良好に維持することができるようにした光学機器も開示されている。
【手続補正３】
【補正対象書類名】明細書
【補正対象項目名】０００９
【補正方法】変更
【補正の内容】
【０００９】
本発明の一側面としての光学機器は、ズーミングに際して移動する変倍レンズと、フォーカシングに際して移動するフォーカスレンズと、アクチュエータによる前記フォーカスレンズの駆動を制御する制御手段とを有する光学機器である。アクチュエータによるフォーカスレンズの駆動可能範囲は、複数の被写体距離に対して合焦状態が得られる合焦可能範囲と該合焦可能範囲に加えられたマージン範囲を含み、合焦可能範囲の幅はズーム位置に応じて変化し、制御手段は、フォーカスレンズの駆動速度の設定を、フォーカスレンズが合焦可能範囲で駆動されるときに、フォーカスレンズの駆動速度をズーム位置に応じて変化させる第１の速度設定とし、かつ、フォーカスレンズがマージン範囲で駆動されるときに、フォーカスレンズの駆動速度を第２の速度設定とし、第２の速度設定は、ズーム位置の範囲の少なくとも一部のズーム位置において、第１の速度設定のときよりも、同一のズーム位置におけるフォーカスレンズの駆動速度が遅い設定であることを特徴とする。
【手続補正４】
【補正対象書類名】明細書
【補正対象項目名】００１０
【補正方法】変更
【補正の内容】
【００１０】
また、本発明の他の一側面としてのフォーカス制御プログラムは、ズーミングに際して移動する変倍レンズと、フォーカシングに際して移動するフォーカスレンズとを有する光学機器のコンピュータに、アクチュエータによる前記フォーカスレンズの駆動を制御する処理を実行させるコンピュータプログラムである。アクチュエータによるフォーカスレンズの駆動可能範囲は、複数の被写体距離に対して合焦状態が得られる合焦可能範囲と該合焦可能範囲に加えられたマージン範囲を含み、合焦可能範囲の幅はズーム位置に応じて変化し、処理は、フォーカスレンズの駆動速度の設定を、フォーカスレンズが合焦可能範囲で駆動されるときに、フォーカスレンズの駆動速度をズーム位置に応じて変化させる第１の速度設定とし、かつ、フォーカスレンズがマージン範囲で駆動されるときに、フォーカスレンズの駆動速度を第２の速度設定とし、第２の速度設定は、ズーム位置の範囲の少なくとも一部のズーム位置において、第１の速度設定のときよりも、同一のズーム位置におけるフォーカスレンズの駆動速度が遅い設定であることを特徴とする。